(57)【要約】      （修正有）【課題】複数の分割板を側端部で繋いで連設したドラム胴からなり、耐久性に優れ、音響特性も優れたドラムを、低コストに提供する。【解決手段】比重０．５以上に圧縮加工した圧縮木材より構成される分割板２を側端部２０で繋いで複数連設し、多角形の筒状体を構成し、内外周面を切削加工し、円筒状のドラム胴１を構成した。圧縮木材の比重は０．８以上がより好ましい。ドラム胴１は分割板２を平面視正多角形の筒状体を構成し、内外周面を切削して円筒形に加工する。木材は間伐材又は早生樹であることが好ましい。【選択図】図１
2016133724.tif 000002
【特許請求の範囲】
【請求項１】
複数の分割板を側端部で繋いで連設することにより筒状のドラム胴を構成してなるドラムであって、
前記分割板を、木材を圧縮加工した比重０．５以上の圧縮木材より構成してなることを特徴とするドラム。
【請求項２】
前記圧縮木材の比重を０．８以上とした請求項１記載のドラム。
【請求項３】
前記ドラム胴が、平板状の前記分割板を複数連設して平面視正多角形の筒状体を構成し、該筒状体の外周面及び内周面を切削して平面視円筒形の面にそれぞれ加工してなる請求項１又は２記載のドラム。
【請求項４】
前記木材が間伐材又は早生樹である請求項１〜３の何れか１項に記載のドラム。
【発明の詳細な説明】
【技術分野】
【０００１】
本発明は、複数の分割板を側端部で繋いで連設することにより筒状のドラム胴を構成したドラムに関する。
【背景技術】
【０００２】
従来のドラムは、例えば、木材の板を筒状に曲げたドラム胴が用いられている。素材の木材としては、ローズウッド、ブビンガ等の振動特性に優れた高比重の木材が好まれるが、これらの素材は希少木材として入手も困難になりつつあり、高価である。したがって、筒状に曲げる板材としては、低比重の板と高比重の板を積層した積層合板が用いられている（例えば、特許文献１参照。）。
【０００３】
また、このように筒状に曲げるドラム胴は製造時間がかかるため、より簡易に製造できるドラム胴として、例えば、分割板の両側縁部をそれぞれ長手方向全長にわたって斜めに切断することにより平面視台形の胴形成用積層材を形成し、この胴形成用分割板を幅方向に複数個接合してドラム胴を構成するものが提案されている（特許文献２参照）。
【０００４】
この分割板についても同様に上記音響特性に優れる希少木材が好まれる。しかしながら、上記同様の理由から分割板として積層材を用いると、筒状に大きく曲げるものに比べて経年変化による強度低下が懸念される。
【先行技術文献】
【特許文献】
【０００５】
【特許文献１】特開２００９−１６３１１２号公報
【特許文献２】特開２００８−２２５０８７号公報
【発明の概要】
【発明が解決しようとする課題】
【０００６】
そこで、本発明が前述の状況に鑑み、解決しようとするところは、複数の分割板を側端部で繋いで連設したドラム胴からなり、耐久性に優れ、音響特性も優れたドラムを、低コストに提供する点にある。
【課題を解決するための手段】
【０００７】
本発明者は、前述の課題解決のために、鋭意検討した結果、高比重の希少木材を用いる代わりに、ヒノキ等の非希少木材を圧縮して比重を上げた圧縮木材を用いることで、積層材としなくともコストを抑え、優れた音響特性を備え、且つ耐久性に優れたドラムとすることができることを見出し、本発明を完成するに至った。
【０００８】
すなわち本発明は、複数の分割板を側端部で繋いで連設することにより筒状のドラム胴を構成してなるドラムであって、前記分割板を、木材を圧縮加工した比重０．５以上の圧縮木材より構成してなることを特徴とするドラムを提供する。
【０００９】
ここで、前記圧縮木材の比重を０．８以上としたものが好ましい。
【００１０】
また、前記ドラム胴が、平板状の前記分割板を複数連設して平面視正多角形の筒状体を構成し、該筒状体の外周面及び内周面を切削して平面視円筒形の面にそれぞれ加工してなるものが好ましい。
【００１１】
さらに、前記木材が間伐材又は早生樹であることが好ましい。
【発明の効果】
【００１２】
以上にしてなる本願発明に係るドラムは、分割板として、木材を圧縮加工した比重０．５以上の圧縮木材を用いてドラム胴を構成したので、従来の筒状に曲げ加工するものに比べて製造効率に優れるとともに、音響特性についても希少木材と同様の優れた特性を備え、また、希少木材に比べて安価であり積層材とする必要がなく、経年変化による強度低下の虞もなく、耐久性に優れ、音響特性も優れたドラムを低コストに提供することができる。
【００１３】
また、圧縮加工により比重０．５以上としたので、振動特性に関して立ち上がりが早くなり、音楽的にも使いやすい胴体となる。このように圧縮木材を用いることで、世界的に枯渇しつつある希少木材の代替材として活用できる。比重０．８以上に圧縮加工したものを用いることで、より優れた音響特性を備えさせることもできる。
【００１４】
また、ドラム胴が、平板状の前記分割板を複数連設して平面視正多角形の筒状体を構成し、該筒状体の外周面及び内周面を切削して平面視円筒形の面にそれぞれ加工してなるので、分割板を曲げ加工して作製する場合に比べて残留応力も少なく長期間安定した形状を維持し、耐久性も向上でき、また曲げ加工であれば厚み方向に内部組織の圧縮状態の分布が大きく変化してしまうが、内部組織も圧縮加工時の状態を維持させることができ、音響特性などの品質を安定させることができる。
【００１５】
また、杉やヒノキ等の比重の小さい安価な間伐材や早生樹などを利用できるので、希少木材の保護にも寄与しうる。
【図面の簡単な説明】
【００１６】
【図１】本発明に係るドラムのドラム胴を示す斜視図。
【図２】同じくドラム胴を構成する分割板を示す斜視図。
【図３】分割板を連設した多角形の筒状体を示す斜視図。
【図４】同じく筒状体の内外周面を切削することを説明する平面図。
【図５】同じく筒状体を切削加工した円筒体を示す斜視図。
【図６】分割板の変形例を示す斜視図。
【図７】同じく変形例の分割板を連設した筒状体を示す斜視図。
【図８】実施例１の音響特性を示すグラフ
【図９】実施例２の音響特性を示すグラフ
【図１０】比較例１の音響特性を示すグラフ
【発明を実施するための形態】
【００１７】
次に、本発明の実施形態を添付図面に基づき詳細に説明する。
【００１８】
本発明のドラムは、図１に示すように、比重０．５以上に圧縮加工した圧縮木材より構成される分割板２を、側端部２０で繋いで複数連設し、筒状のドラム胴１を構成したものである。
【００１９】
各分割板２は、図２に示すように、平板状の圧縮木材から左右側端部２０がテーパー状の面に加工されたものであり、各側端部２０の当該テーパー面には中央部に縦方向に延びる凹溝２１が形成されている。この凹溝２１は、側端部２０同士を連結する際に連結板５を嵌め込んで強固に連結するための溝であり、その他の形態でも勿論よい。
【００２０】
分割板２に用いる木材は、スギやヒノキ等の比重の小さい間伐材又は早生樹を有効活用することができる。ただし、これに限定されず、その他の木材を広く使用でき、もともと比重が０．５以上の木材を用いて圧縮加工することで更に高い比重の圧縮木材として用いることも含まれる。
【００２１】
圧縮加工は、木材を高周波電磁波等により加熱することや高温高圧水蒸気雰囲気化で水分吸収させることにより軟化させたうえ、圧縮する公知の加工方法を用いることができ、例えば、特開２００３−５３７０５号公報に記載の圧密固定化方法などが好適である。
【００２２】
圧縮木材からなる分割板２の比重は、０．５以上とされ、振動特性に関して立ち上がりが早くなり、希少木材と同様、音楽的にも使いやすい胴体となる。比重が０．８以上であれば、音響効果に関して格段によくなる点でより好ましい。
【００２３】
これら分割板２は、凹溝２１に嵌合する連結板５を用いて接着剤で側端部２０同士が連結され、図３に示すような平面視正多角形の筒状体３を構成する。凹溝２１と連結板５の連結以外の構成としては、例えば対面する一方の側端部に同様の縦方向の凹溝を設け、他方の側端部にこれに嵌合する凸条を設けてもよい。また、側端部の縦方向に沿って複数の凹凸が連続する構造もドラム胴の軸の方向に対する連結強度が高められる点で好ましい。
【００２４】
この場合、例えば図６及び図７に示すように、一方の側端部に内面側にのみ開放される複数の凹溝２２を縦方向に沿って複数形成し、他方の側端部には、これに対応する位置に各凹溝２２に嵌合する凸部２３を縦方向に沿って複数形成したものが好ましい。これによれば、ドラム胴の径方向への連結強度も維持できるとともに外面側に凹凸形状が現れず、外観上好ましいものを提供できる。本例では、さらに溝形状が縦断面で蟻溝の形状とされ、さらに連結強度が高められている。
【００２５】
その他、分割板の嵌合構造は他の形状でも勿論よいし、このような嵌合構造を省略することも可能である。
【００２６】
そして、図４の仮想線に示すように筒状体３の外周面３０及び内周面３１を切削して平面視円筒形の面にそれぞれ加工することで、図５に示す円筒体４を形成し、さらに該円筒体４の上下の開口端部４０、４１を中心側ほど軸方向長さが短くなるようにテーパー状に切削加工することで、図１に示す構造のドラム胴１が構成される。
【００２７】
このようなドラム胴を用いるドラムは、例えば、ドラム胴１の上下開口端面を覆う上側ドラムヘッド及び下側ドラムヘッドがフープを介して胴本体の両端面を塞ぐように設けられ、これらドラムヘッドの張りを調整するためのヘッド調整装置が上側フープと下側フープとを連結するように等角度間隔をおいて複数個設けられ、さらに胴本体の１８０°対向する位置に設けたストレイナー装置により複数本のスナッピーワイヤよりなるスナッピーを下側ドラムヘッドに接触／非接触するように切り換え可能に保持したスネアドラムとして構成できる。その他のドラムを構成しても勿論よい。
【００２８】
以上、本発明の実施形態について説明したが、本発明はこうした実施例に何ら限定されるものではなく、例えば分割板を平板状で組み付けて多角形の筒体を構成するのではなく、各分割板をまげてから組み付けて円筒体を得るもの等、本発明の要旨を逸脱しない範囲において種々なる形態で実施し得ることは勿論である。
【実施例】
【００２９】
以下、ヒノキ材の試験片（実施例１、実施例２、比較例１）について、それぞれ衝撃を与えたときのピーク周波数を測定した結果について説明する。
【００３０】
（サンプル）
実施例１の試験片は、乾燥処理されたヒノキ材を特開２００３−５３７０５号公報に記載の加熱・圧縮の圧密固定化方法で３０％圧縮（体積が加工前の７０%になるまで圧縮）加工した圧縮木材である。比重は０．５８６である。
【００３１】
実施例２の試験片は、同じく乾燥処理されたヒノキ材を実施例１と同じ方法で５０％圧縮加工した圧縮木材である。比重は０．８２である。
【００３２】
比較例１の試験片は、乾燥処理されたヒノキ材を圧縮加工せずにそのまま用いたものである。比重は０．４１である。
【００３３】
試験片の寸法は、実施例１、２、比較例１とも、同じ縦３０５ｍｍ、横７５ｍｍ、厚さ１４ｍｍとした。
【００３４】
（周波数測定試験）
周波数測定は、ドライバーの柄部（ゴム部）を用いて、試験片の最も広い前（後）面の横方向の中央位置で且つ縦方向の端から１／４の位置を録音レベルが歪まない程度に調節して叩いた（０ｄBuがひずむポイントなので若干小さい程度で録音した。）。実施例１、２、比較例１の３種類とも同じ程度の録音レベルになるように、それぞれ数回叩きなおした。録音マイクは約３０ｃｍ離れた位置に設置した。
【００３５】
録音及び周波数測定のソフトウエアには、Ｗｉｎｄｏｗｓ（登録商標）ＯＳ上で動作するＳｙｎｔｒｉｌｉｕｍ社製「Ｃｏｏｌ  Ｅｄｉｔ  ２０００」を用いた。オーディオインターフェースは、Ｓｔｅｉｎｂｅｒｇ社製「ＵＲ２２」を用いた。マイクは、Ｂｅｈｒｉｎｇｅｒ社製「ＥＣＭ８０００」を用いた。
【００３６】
（測定結果）
結果を図８〜図１０、及び下記表１に示す。
【００３７】
【表１】
2016133724.tif 000003
【００３８】
図８〜図１０及び表１から分かるように、比重が高いほど、ピークの周波数も高くなり、当該試験片の圧縮木材からなる分割板を用いたドラムの音響効果も良好となることがわかる。
【符号の説明】
【００３９】
１  ドラム胴
２  分割板
３  筒状体
４  円筒体
５  連結板
２０  側端部
２１  凹溝
２２  凹溝
２３  凸部
３０  外周面
３１  内周面
４０  開口端部
【図１】
2016133724.tif 000004
【図２】
2016133724.tif 000005
【図３】
2016133724.tif 000006
【図４】
2016133724.tif 000007
【図５】
2016133724.tif 000008
【図６】
2016133724.tif 000009
【図７】
2016133724.tif 000010
【図８】
2016133724.tif 000011
【図９】
2016133724.tif 000012
【図１０】
2016133724.tif 000013